(57)【要約】【課題】ＥＴＣカード内の料金や残高などの情報を車載装置に挿入しなくても確認できるようにする。【解決手段】ＥＴＣカードが自動料金収受のための情報を記憶するＩＣチップ２と記憶された情報を可視的に保持可能に表示する磁気表示部とを備えている。車載装置１１は、ＥＴＣカード１に対して自動料金収受のための情報を読み書きするカードリードライト制御部１９と、ＥＴＣカード１に対して自動料金収受のための情報を記録および消去するカード磁気記録部２２およびカード加熱部２３とを備えている。ＥＴＣカード１を車載装置１１から取り外す際に、自動料金収受のための情報がＥＴＣカード１の磁気表示部に表示される。【選択図】  図１
2004246560.tif 000002
【特許請求の範囲】
【請求項１】
自動料金収受のための情報を記憶する記憶手段と、前記記憶手段に記憶された情報を可視的に保持可能に表示する表示手段とを備えた自動料金収受用記憶媒体。
【請求項２】
前記表示手段は、磁気表示媒体からなることを特徴とする請求項１記載の自動料金収受用記憶媒体。
【請求項３】
請求項１または２記載の自動料金収受用記憶媒体に対して自動料金収受のための情報を読み書きする読み書き手段と、前記自動料金収受用記憶媒体の表示手段に対して自動料金収受のための情報を表示または消去する表示消去手段とを備えた車載装置。
【発明の詳細な説明】
【０００１】
【発明の属する技術分野】
本発明は、高速道路などの有料道路の料金収受を路側装置と車載装置との間の無線通信により完了させる自動料金収受（ＥＴＣ：Ｅｌｅｃｔｒｏｎｉｃ  Ｔｏｌｌ  Ｃｏｌｌｅｃｔｉｏｎ）システムにおける自動料金収受用記憶媒体および車載装置に関する。
【０００２】
【従来の技術】
従来、高速道路などの有料道路での料金収受を無線通信により完了させる自動料金収受システムでは、料金の決済を車載装置に挿着されたＩＣカード等のＥＴＣカードを用いて行っている（例えば、特許文献１参照）。自動料金収受システムにおける車載装置は、車両のダッシュボードに設置される小型のもので、ＥＴＣカードのＩＤ番号入力のためのキーパッドや料金を表示するための液晶表示装置が設けられている。
【０００３】
一方、文字等を表示する小型の表示手段として、磁気および熱により可逆的な表示を可能とした磁気表示媒体を用いた記録装置も知られている（例えば、特許文献２参照）。この磁気表示媒体は、透明または不透明な非磁性材料からなる支持体上に、常温時において固相状態を示し、かつ加熱時において液相状態を示す流動パラフィン等の低融点材料からなる分散媒に、粒子状または燐片状の磁性体を分散してなる表示層を形成したものである。分散媒および磁性体はマイクロカプセルに内包してもよい。
【０００４】
【特許文献１】
特開２００１−１４５００号公報
【特許文献２】
特開平９−６２２０９号公報
【０００５】
【発明が解決しようとする課題】
しかしながら、従来のＥＴＣカードでは、カード内部の料金や残高などの情報は、一部の車載装置を除いては確認できる機能がなく、また確認できる機能が備えられている場合でも、ＥＴＣカードを車載装置内に挿入しなければ確認できないという問題を有していた。
【０００６】
本発明は、このような従来の技術における問題を解決するものであり、ＥＴＣカード内の料金や残高などの情報を車載装置に挿入しなくても確認することのできる自動料金収受用記憶媒体および車載装置を提供することを目的とする。
【０００７】
【課題を解決するための手段】
上記課題を解決するために、本発明の自動料金収受用記憶媒体は、自動料金収受のための情報を記憶する記憶手段と、前記記憶手段に記憶された情報を可視的に保持可能に表示する表示手段とを備えたものである。この構成により、自動料金収受用記憶媒体を車載装置から取り外した状態でも、自動料金収受のための情報を表示手段に表示することができ、料金や残高を確認することができる。
【０００８】
また、本発明の自動料金収受用記憶媒体は、前記表示手段が、磁気表示媒体からなることを特徴とする。この構成により、自動料金収受のための情報を表示手段に任意に表示および消去することができ、他人が自動料金収受用記憶媒体の内部情報を知るのを防止することができる。
【０００９】
また、本発明の車載装置は、上記した自動料金収受用記憶媒体に対して自動料金収受のための情報を読み書きする読み書き手段と、前記自動料金収受用記憶媒体に対して自動料金収受のための情報を表示または消去する表示消去手段とを備えたものである。この構成により、上記した自動料金収受用記憶媒体に対して自動料金収受のための情報を任意に表示および消去することができる。
【００１０】
【発明の実施の形態】
以下、本発明の実施の形態について図面を参照して詳細に説明する。図１（ａ）は本実施の形態における自動料金収受用記憶媒体であるＥＴＣカードの正面図、図１（ｂ）はその背面図である。なお、本実施の形態におけるＥＴＣカードは、ＩＣカードの他にメモリカード、ＳＤカード等を用いてもよい。図１において、ＥＴＣカード１の表面には、「ＥＴＣカード」の文字が印刷されるとともに、ＩＣチップ２が搭載されている。ＩＣチップ２は、回路基板上にＣＰＵとメモリと入出力インターフェイスとを備えたものであり、メモリには料金データや個人データが格納されている。ＩＣチップ２の表面には、接続端子が露出している。ＥＴＣカード１の裏面には、磁気ストライプ３が設けられている。この磁気ストライプ３は、このＥＴＣカード１を料金所の通常ゲートに設置されたＥＴＣカード処理機で処理する場合のものである。磁気表示部４は、磁気力により文字や図形を可視的に保持可能に表示できるようにしたものである。この磁気表示部４は、常温時においいて固相状態を示し、加熱時において液相状態を示す分散媒と黒色に着色された粒子状の磁性体とをマイクロカプセルに封入して、シート状のプラスチックケース内に封入したものである。したがって、この磁気表示部４を裏側から部分的に加熱して表側から文字の形に磁気力を与えると、マイクロカプセルが選択的に表面に泳動して文字の形に可視化され、加熱を停止することにより、温度が下がってその状態が固定される。そして、この磁気表示部４の全体を裏側から加熱することにより、すべての部分のマイクロカプセルが下方に泳動するので、可視化された文字が消去される。
【００１１】
図２は本実施の形態における車載装置の構成を示している。図２において、車載装置１１は、個人情報、課金結果情報等が読み書きされる上記したＥＴＣカード１を使用する。アンテナ１２を介して行われる路側装置との通信は、５．８ＧＨｚ帯の高周波を使用して無線部１３により行われる。制御部１４は、ＤＳＲＣ（Ｄｅｄｉｃａｔｅｄ  Ｓｈｏｒｔ  Ｒａｎｇｅ  Ｃｏｍｍｕｎｉｃａｔｉｏｎ：狭域通信）処理装置およびＣＰＵやメモリを含み、無線通信の制御、ＥＴＣカードの制御を初めとする情報処理全般を行う。ＨＭＩ（ヒューマン・マシン・インターフェイス）部１５は、入力手段であるキーパッド１６や車載装置１１の状態を出力するスピーカ１７およびＬＥＤ１８の入出力を行う。カードリードライト制御部１９は、ＥＴＣカード１に対する読み書きを制御する。カード搬送部２０は、ＥＴＣカード１を装置内に対し搬入搬出を行う。接続端子２１は、装置内の所定位置に搬入されたＥＴＣカード１のＩＣチップ２に接続可能な位置に配置されている。カード搬送部２０の上部にはカード磁気記録部２２が配置され、カード搬送部２０の下部にはカード加熱部２３が配置されている。カード搬送部２０、接続端子２１、カード磁気記録部２２およびカード加熱部２３は、それぞれカードリードライト制御部１９に接続されている。カード磁気記録部２２は、カードリードライト部１９に制御される磁気ヘッドを備え、カード加熱部２３は、カードリードライト制御部１７の制御により全面加熱および部分加熱の切り替えが可能であり、これらにより表示消去手段を構成している。電池２４は車載装置１１の回路全体に電力を供給する。
【００１２】
次に、この車載装置１１の動作について説明する。まず、ユーザは、自動車に設置された車載装置１１に自分のユーザＩＤが記録されているＥＴＣカード１を挿入する。ＥＴＣカード１がカード搬送部２０により装置内に挿入されると、車載装置１１は、ＥＴＣカード１の電源オンを行い、ＥＴＣカード１のメモリに記録されたＥＴＣアプリケーションプログラムを選択し、ＨＭＩ部１５により動作確認のための音声をスピーカ１７から出力し、ＬＥＤ１８を点灯させる。自動車が路側装置の通信可能エリア外を走行している場合、車載装置１１は待機状態になっている。
【００１３】
路側装置からの無線信号がアンテナ１２から入力されると、無線部１３によってその入力電界強度が検知され、それがある一定レベルを超えたところで、制御部１４は、車両が路側装置の通信可能エリアに入ったことを認識し、車載装置１１は、通信状態へと移行し、半二重通信による課金処理へと移る。無線部１３によって５．８ＧＨｚの高周波信号から１Ｍｂｐｓのベースバンド信号へと変換される通信データは、プロトコル処理を制御部１４で処理し、受信データの復号化および送信データの暗号化を行う。この通信手順によって、車載装置１１に記録されている車両情報や、ＥＴＣカード１から読み出されるカード所持者の個人情報が路側装置に対して送信され、路側装置からは課金情報が送信されてくる。最終的な課金結果は、スピーカ１７やＬＥＤ１８によって運転者に伝えられ、同時に、カードリードライト制御部１９により、接続端子２１を通じてＥＴＣカード１のＩＣチップ２内のメモリに書き込まれる。車両が路側装置の通信エリアを通過してエリア外に出ると、アンテナ１２からの入力電界強度の低下を無線部１３が検知し、これが制御部１４に伝えられ、車載装置１１は再び待機状態へと移行する。
【００１４】
運転者が、降車時にキーパッド１６からカード排出ボタンを押すと、カード搬送部２０によってＥＴＣカード１が装置外に排出され、その時に、ＥＴＣカード１のメモリに記憶された課金情報が、カードリードライト制御部１９によって読み取られ、今度はカードリードライト部１９からカード磁気記録部２２およびカード加熱部２３に書き込みのための信号が送られて、ＥＴＣカード１の磁気表示部４に記録される。したがって、ＥＴＣカード１を車載装置１１から抜いた後でも、磁気表示部４を見ることにより課金内容を確認することができる。その課金内容を消去したい場合には、ＥＴＣカード１を車載装置１１に挿入して、キーパッド１６から消去ボタンを押すことにより、カード加熱部２３がＥＴＣカード１の磁気表示部４を全面加熱することにより表示内容が消去される。
【００１５】
このように、本実施の形態によれば、ＥＴＣカード１が、自動料金収受のための情報を記憶するＩＣチップ２と、この記憶された情報を可視的に保持可能に表示する磁気表示部４とを備えており、また車載装置１１が、ＥＴＣカード１に対して自動料金収受のための情報を読み書きするカードリードライト制御部１９と、ＥＴＣカード１に対して自動料金収受のための情報を記録および消去するカード磁気記録部２２およびカード加熱部２３とを備えているので、ＥＴＣカード１を車載装置１１から取り外した状態でも、磁気表示部４に表示された内容により料金や残高を確認することができる。また、磁気表示部４に表示された情報を任意に消去することができるので、他人がＥＴＣカード１の内部情報を知るのを防止することができる。
【００１６】
なお、上記実施の形態では、自動料金収受のための情報を可視的に保持可能に表示する手段として磁気表示部４を備えているが、これに代えて、液晶表示装置やＬＥＤ表示装置をＥＴＣカード内に設けた電池により表示するようにしてもよい。
【００１７】
【発明の効果】
以上の説明から明らかなように、本発明の自動料金収受用記憶媒体は、自動料金収受のための情報を記憶する記憶手段と、この記憶手段に記憶された情報を可視的に保持可能に表示する表示手段とを備えているので、自動料金収受用記憶媒体を車載装置から取り外した状態でも、表示手段に表示された内容により料金や残高を確認することができる。
【図面の簡単な説明】
【図１】（ａ）本発明の実施の形態におけるＥＴＣカードの正面図
（ｂ）本発明の実施の形態におけるＥＴＣカードの背面図
【図２】本発明の実施の形態における車載装置の構成を示す概略ブロック図
【符号の説明】
１  ＥＴＣカード
２  ＩＣチップ
３  磁気ストライプ
４  磁気表示部
１１  車載装置
１２  アンテナ
１３  無線部
１４  制御部
１５  ＨＭＩ部
１６  キーパッド
１７  スピーカ
１８  ＬＥＤ
１９  カードリードライト制御部
２０  カード搬送部
２１  接続端子
２２  カード磁気記録部
２３  カード加熱部
２４  電池
【図１】
2004246560.tif 000003
【図２】
2004246560.tif 000004